(57)【要約】【課題】本考案は、建物のキッチンなどで生じたゴミ類を分別してポリ袋などに詰めてから、これを建物の窓を通じて外部の箱状本体の複数のゴミ収容区画へ種類別に投棄できるようにすることにより、公共のゴミ収集場所への運搬を建物の外部だけで能率よく行えるようにした分別ゴミ収容装置を提供することを課題とする。【解決手段】建物の外壁部１に設けられた外押しサッシ窓２の外側下方におけるコンクリート製基礎面３に、分別ゴミを建物内から収容するための複数の区画４ａ〜４ｅを備えた内箱４Ａ付き箱状本体４が、ローラ５を介して左右方向へ移動可能に設けられ、その建物内からの移動操作のためのハンドレール６が設けられる。箱状本体４の上部には、外押しサッシ窓２の押し開かれた状態で、そのガラス板付きサッシ枠体２ａを覆うための透光性傾斜屋根板４Ｒが設けられる。【選択図】  図１
0003126587.tif 000002
【実用新案登録請求の範囲】
【請求項１】
建物の外壁部に設けられた窓の外側下方における基礎面に、ゴミ収容のための箱状本体が設置されており、上記窓を開いた状態で同窓を通じ上記建物の室内から上記箱状本体の内部の複数区画に仕切られたゴミ収容部へ分別ゴミを投下すべく同ゴミ収容部の上部にゴミ投入口が形成されていることを特徴とする、分別ゴミ収容装置。
【請求項２】
上記箱状本体の上部に、上記ゴミ収容部へ分別ゴミを滑落させるための傾斜板が装着されていることを特徴とする、請求項１に記載の分別ゴミ収容装置。
【請求項３】
上記箱状本体が上記基礎面に沿い上記建物の外壁部と平行に左右へ移動可能に設けられて、同箱状本体の上部に、左右方向へ延在するハンドレールが装着されていることを特徴とする、請求項１または２に記載の分別ゴミ収容装置。
【請求項４】
上記箱状本体を上記基礎面に沿い左右へ移動させるための電動式駆動機構が設けられて、同電動式駆動機構のための操作スイッチが上記建物の内部に装着されていることを特徴とする、請求項３に記載の分別ゴミ収容装置。
【請求項５】
上記窓が外押しサッシ窓として構成され、同外押しサッシ窓の押し開かれた状態で同外押しサッシ窓のガラス板付きサッシ枠体を上方から覆うための透光性の傾斜屋根板が、上記箱状本体の上部に設けられていることを特徴とする、請求項１〜４のいずれか１つに記載の分別ゴミ収容装置。
【請求項６】
上記複数区画に仕切られたゴミ収容部が、上記箱状本体の内部に内箱として構成されていることを特徴とする、請求項１〜５のいずれか１つに記載の分別ゴミ収容装置。
【請求項７】
上記内箱が、上記箱状本体の前面に形成された扉付き前面開口部を通じて前方へ引き出し可能に設けられていることを特徴とする、請求項６に記載の分別ゴミ収容装置。
【請求項８】
上記内箱が、上記箱状本体の側面に形成された扉付き側面開口部を通じて側方へ引き出し可能に設けられていることを特徴とする、請求項６に記載の分別ゴミ収容装置。
【考案の詳細な説明】
【技術分野】
【０００１】
本考案は、建物に付設されて分別ゴミの収容に用いられる装置に関し、特に建物の外部に設置されたゴミ収容部に建物の内部から分別ゴミを投入できるようにした分別ゴミ収容装置に関する。
【背景技術】
【０００２】
建物内のキッチンなどから生じる生ゴミや空きビン、空き缶などを分別して収容できるようにしたゴミ収容装置として、建物の内部に複数のゴミ収容容器を着脱可能に並設したものが知られているが、これらの容器内のゴミを屋内から建物の外部へ持ち出して整理するのは容易ではない。
【特許文献１】実用新案登録第３００６９９４号公報
【考案の開示】
【考案が解決しようとする課題】
【０００３】
本考案は、建物のキッチンなどで生じたゴミ類を分別してポリ袋などに詰めてから、これを建物の窓を通じて外部の箱状本体の複数のゴミ収容部へ種類別に投棄できるようにすることにより、分別ゴミの整理を能率よく行えるようにした分別ゴミ収容装置を提供することを課題とする。
【課題を解決するための手段】
【０００４】
本考案の分別ゴミ収容装置は、建物の外壁部に設けられた窓の外側下方における基礎面に、ゴミ収容のための箱状本体が設置されており、上記窓を開いた状態で同窓を通じ上記建物の室内から上記箱状本体の内部の複数区画に仕切られたゴミ収容部へ分別ゴミを投下すべく同ゴミ収容部の上部にゴミ投入口が形成されていることを特徴としている。
【０００５】
また、本考案の分別ゴミ収容装置は、上記箱状本体の上部に、上記ゴミ収容部へ分別ゴミを滑落させるための傾斜板が装着されていることを特徴としている。
【０００６】
さらに、本考案の分別ゴミ収容装置は、上記箱状本体が上記基礎面に沿い上記建物の外壁部と平行に左右へ移動可能に設けられて、同箱状本体の上部に左右方向へ延在するハンドレールが装着されていることを特徴としている。
【０００７】
また、本考案の分別ゴミ収容装置は、上記箱状本体を上記基礎面に沿い左右へ移動させるための電動式駆動機構が設けられて、同電動式駆動機構のための操作スイッチが上記建物の内部に装着されていることを特徴としている。
【０００８】
さらに、本考案の分別ゴミ収容装置は、上記窓が外押しサッシ窓として構成され、同外押しサッシ窓の押し開かれた状態で同外押しサッシ窓のガラス板付きサッシ枠体を上方から覆うための透光性の傾斜屋根板が、上記箱状本体の上部に設けられていることを特徴としている。
【０００９】
また、本考案の分別ゴミ収容装置は、上記複数区画に仕切られたゴミ収容部が、上記箱状本体の内部に内箱として構成されていることを特徴としている。
【００１０】
さらに、本考案の分別ゴミ収容装置は、上記内箱が、上記箱状本体の前面に形成された扉付き前面開口部を通じて前方へ引き出し可能に設けられていることを特徴としている。
【００１１】
また、本考案の分別ゴミ収容装置は、上記内箱が、上記箱状本体の側面に形成された扉付き側面開口部を通じて側方へ引き出し可能に設けられていることを特徴としている。
【考案の効果】
【００１２】
上述の本考案の分別ゴミ収容装置では、建物の外壁部に設けられた窓の外側下方における基礎面にゴミ収容のための箱状本体が設置されて、同箱状本体の内部に、複数区画に仕切られ上部にゴミ投入口を有するゴミ収容部が設けられているので、上記窓を開いた状態で建物の内部からゴミを分別して上記ゴミ収容部へ能率よく投入することが可能となって、そのつど建物外へ出る必要がなくなり、また分別ゴミを公共のゴミ収集場所へ運搬する際には、建物の外部で上記箱状本体から運び出す作業のみで済ませることができるようになる。
また、建物内には生ゴミなどを滞留させることがなくなるため、建物内の臭気防止にも役立つようになる。
【００１３】
さらに、上記箱状本体の上部に、上記ゴミ収容部へ分別ゴミを滑落させるための傾斜板が装着されていると、上記窓を通じゴミを落下させるための操作が容易になるほか、リサイクル用のガラスびん等については破損防止に役立つ利点も得られる。
【００１４】
そして、上記箱状本体が上記基礎面に沿い上記建物の外壁部と平行に左右へ移動可能に設けられるとともに、同箱状本体の上部に左右方向へ延在するハンドレールが装着されている場合は、前記窓の幅の設定が制約を受けて狭くなっていても、建物の内部から腕を出して上記ハンドレールを操作することにより、上記箱状本体の内部の複数区画に仕切られたゴミ収容部のうちの所要の区画が上記窓の真下に位置するように上記箱状本体を左右に移動調整することができ、これによりゴミ投下を能率よく的確に行うことが可能になる。
【００１５】
また、上記箱状本体を上記基礎面に沿い左右へ移動させるための電動式駆動機構が設けられて、その操作スイッチが上記建物の内部に装着されている場合は、前記ハンドレールは不要となり、しかも上記箱状本体の左右への移動調節が著しく簡便に行えるようになる。
【００１６】
さらに、上記窓が外押しサッシ窓として構成されて、上記箱状本体が、上記外押しサッシ窓の押し開かれた状態で同外押しサッシ窓のガラス板付きサッシ枠体を上方から覆うための透光性の傾斜屋根板を備えている場合は、上記箱状本体の内部に収容されている分別ゴミが常時雨水から保護されるようになり、また上記箱状本体に水抜き孔を形成する必要が無くなる利点も得られる。
【００１７】
そして、上記箱状本体の内部において、上記複数区画に仕切られたゴミ収容部が内箱として構成されていると、同内箱を上記箱状本体から取り出して清掃することが可能になり、衛生上好ましくなる利点が得られる。
【００１８】
また、上記内箱が上記箱状本体の前面に形成された扉付き前面開口部を通じて前方へ引き出し可能に設けられていると、上記内箱内に仕切られたゴミ収容部からゴミ袋を取り出す際に、上記内箱を上記扉付き前面開口部から前方へ引き出すようにして、ゴミ袋の取り出し操作が著しく簡便に行われるようになる。
【００１９】
さらに、上記内箱が、上記箱状本体の側面に形成された扉付き側面開口部を通じて側方へ引き出し可能に設けられている場合も、上記内箱内の各区画からのゴミ袋の取り出し操作を簡便に行うことが可能になる。
【実施例】
【００２０】
図１は本考案の一実施例としての分別ゴミ収容装置を示す正面図、図２は図１の分別ゴミ収容装置の側面図であり、図３は上記分別ゴミ収容装置における箱状本体の駆動機構の他の例を示す説明図である。
図１および図２に示すように、建物の外壁部１に設けられた外押しサッシ窓２の外側下方におけるコンクリート製基礎面３に、ゴミ収容のための箱状本体４が設けられており、この箱状本体４は、固定式でもよいが、本実施例ではローラー５を介して左右に移動可能に設置されている。そして、基礎面３にはローラー５の左右への移動範囲を規制するストッパー５ａ，５ｂが設けられている。
【００２１】
また、上部を開放された箱状本体４の内部には、外押しサッシ窓２の開放状態で分別ゴミを同サッシ窓２を通じて種類別に投下し収容するためのゴミ収容部として、複数の区画４ａ，４ｂ，４ｃ，４ｄ，４ｅが形成されるが、本実施例では箱状本体４の内部に内箱４Ａが設けられて、同内箱４Ａの内部が各区画４ａ〜４ｅに仕切られている。
このようにして形成された各区画４ａ〜４ｅからなるゴミ収容部の上部にはゴミ投入口40が形成されている。
【００２２】
そして、ガラスびんなどを収容するゴミ収容区画４ａに対しては、箱状本体４の上部に、分別ゴミを滑落させるための傾斜板Ｓが設けられるほか、要すればゴミ収容部４ａ内にも傾斜板Ｓが設けられる。
【００２３】
さらに、箱状本体４の建物外壁部１寄りの上部には、外押しサッシ窓２の開放状態で建物の内部から腕を差し出して箱状本体４を左右に移動させるためのハンドレール６が、手で握りやすいように丸棒状の部材として、左右方向へ延在するように装着されている。
【００２４】
箱状本体４の左右への駆動手段としては、図３に示すような電動式駆動機構を設けるようにしてもよく、この例では箱状本体４の底部に装着されたナット７に螺合する雄ねじ棒８が、モーターＭによりギヤａ，ｂを介して回転駆動されることにより、箱状本体４の左右への駆動が行われる。そして、モーターＭのスイッチボックス９が建物１の内壁部に取り付けられ、同スイッチボックス９に箱状本体４の移動方向に合わせて２個のスイッチ９ａ，９ｂが設けられる。
このような電動式駆動機構としては、モーターによるチェーンまたはワイヤーの巻取り手段などを用いてもよく、低コストで実現することができる。
【００２５】
図１，２に示す実施例では、さらに、箱状本体４が、外押しサッシ窓２の押し開かれた状態で同外押しサッシ窓２のガラス板付きサッシ枠体２ａを上方から覆うための網入スリガラスなどで作られた透光性の傾斜屋根板４Ｒを具備している。また箱状本体４の内部の内箱４Ａは、同箱状本体４の前面に形成された扉付き前面開口部４Ｆを通じて前方へ引出し可能に設けられるほか、箱状本体４の側面に形成された扉付き側面開口部４Ｓを通じて側方へも引出し可能に設けられている。
なお、内箱４Ａを側方へ引き出す場合は、同内箱４Ａの下側にローラを装着して、同内箱４Ａの側方への引出し操作を簡易化することも可能である。
【００２６】
上述の本実施例の分別ゴミ収容装置では、建物の外壁部１に設けられた外押しサッシ窓２の外側下方における基礎面３にゴミ収容のための箱状本体４が設置されて、同箱状本体４の内部に、複数区画４ａ〜４ｅに仕切られ上部にゴミ投入口40を有するゴミ収容部が設けられているので、外押しサッシ窓２を押し開いた状態で建物の内部からゴミを分別して上記ゴミ収容部へ能率よく投入することが可能となって、そのつど建物外へ出る必要がなくなり、また分別ゴミを公共のゴミ収集場所へ運搬する際には、建物の外部で箱状本体４から運び出す作業のみで済ませることができるようになる。
また、建物内には生ゴミなどを滞留させることがなくなるため、建物内の臭気防止にも役立つようになる。
【００２７】
さらに、箱状本体４の上部に、ガラスびん用のゴミ収容区画４ａへ分別ゴミとしてのガラスびんを滑落させるための傾斜板Ｓが設けられているので、窓２を通じてガラスびんを投下する操作が容易になるほか、リサイクル用びん類の破損の防止に役立つ利点も得られる。
【００２８】
そして、箱状本体４が基礎面３に沿い建物の外壁部１と平行に左右へ移動可能に設けられるとともに、同箱状本体４の上部に左右方向へ延在するハンドレール６が装着されていると、外押しサッシ窓２の設定幅が制約を受けて狭くなっていても、建物の内部から腕を出して上記ハンドレール６を操作することにより、箱状本体４の内部の複数区画４ａ〜４ｅに仕切られたゴミ収容部のうちの所要の区画が外押しサッシ窓２の真下に位置するように箱状本体４を左右に移動調整することができ、これによりゴミ投下を能率よく的確に行うことが可能になる。
【００２９】
また、箱状本体４を基礎面３に沿い左右へ移動させるための電動式駆動機構が設けられて、その操作スイッチ９ａ，９ｂが上記建物の内部に装着されていると、ハンドレール６は不要となり、しかも箱状本体４の左右への移動調節が著しく簡便に行えるようになる。
【００３０】
さらに、箱状本体４が、外押しサッシ窓２の押し開かれた状態で同外押しサッシ窓２のガラス板付きサッシ枠体２ａを上方から覆うための透光性の傾斜屋根板４Ｒを備えているので、箱状本体４の内部の内箱４Ａに収容されている分別ゴミが常時雨水から保護されるようになり、また箱状本体４に水抜き孔を形成する必要が無くなる利点も得られる。
【００３１】
そして、箱状本体４の内部において、上記複数区画４ａ〜４ｅに仕切られたゴミ収容部が内箱４Ａとして構成されていると、同内箱４Ａを箱状本体４から取り出して清掃することが可能になり、衛生上好ましくなる利点が得られる。
【００３２】
また、上記内箱４Ａが箱状本体４の前面に形成された扉付き前面開口部４Ｆを通じて前方へ引き出し可能に設けられているので、内箱４Ａ内に仕切られたゴミ収容部としての各区画４ａ〜４ｅからゴミ袋を取り出す際に、内箱４Ａを扉付き前面開口部４Ｆから前方へ引き出すようにして、ゴミ袋の取り出し操作が著しく簡便に行われるようになる。
【００３３】
さらに、内箱４Ａが、箱状本体４の側面に形成された扉付き側面開口部４Ｓを通じて側方へ引き出し可能に設けられている場合も、内箱４Ａ内の各区画４ａ〜４ｅからのゴミ袋の取り出し操作を簡便に行うことが可能になる。
【図面の簡単な説明】
【００３４】
【図１】本考案の一実施例としての分別ゴミ収容装置を示す正面図である。
【図２】図１の分別ゴミ収容装置の側面図である。
【図３】図１，２に示す分別ゴミ収容装置における箱状本体の駆動機構の他の例を示す説明図である。
【符号の説明】
【００３５】
１  建物の外壁部
２  外押しサッシ窓
２ａ  ガラス板付きサッシ枠体
３  コンクリート製基礎面
４  箱状本体
４Ａ  内箱
４ａ〜４ｅ  区画
４Ｆ  扉付き前面開口部
４Ｒ  透光性傾斜屋根板
４Ｓ  扉付き側面開口部
５  ローラ
５ａ，５ｂ  ストッパー
６  ハンドレール
７  ナット
８  雄ねじ棒
９  スイッチボックス
９ａ，９ｂ  スイッチ
40  ゴミ投入口
ａ，ｂ  ギヤ
Ｓ  傾斜板
【図１】
0003126587.tif 000003
【図２】
0003126587.tif 000004
【図３】
0003126587.tif 000005